(57)【要約】  滑りやすい走行面上を走行する際のグリップを改良する二輪車のタイヤのトレッドであって、このトレッドは、溝（４）により互いに分割されたブロック（１、２、３）を備え、各ブロックは、タイヤの走行時に、前記走行面と接触するための接触面と、前記接触面を横切り、少なくとも３つのブランチを備えた幾何形状を有する接触面の輪郭を画成するエッジコーナーを形成する側面と、を有し、各ブランチ（１１、２１、３１）は、点（１１０、２１０、３１０）で終端しており、この点の角度は最小で２０度と等しく、最大で９０度と等しく、各ブロック（１、２、３）の前記ブランチ（１１、２１、３１）は、対として考えると、これらの間に、セットバック部分（１２、２２、３２）を画定し、各ブロック（１、２、３）が少なくとも６つのブランチを有する接触面を有し、各ブロック（１、２、３）はそれぞれスリット（１１１、１１２、１１３、２１１、２１２、２１３、３１１、３１２、３１３）を備え、これらスリットは、ブロックの面に形成されたセットバックの一つで一端が終端し、同時に、他端は同じ位置で終端し、これにより接触面の少なくとも二つの点を備える基本パターンを形成し、前記同一のブロックの前記基本パターンは、これらが前記走行面を通る時に、互いに接触することにより相互作用する。さらに、トレッドの少なくとも一部において、前記ブロック（１、２、３）は、前記赤道中央面に対して、それらの軸方向位置により、互いに角度方向にオフセットした配向を有する。【選択図】図１
2013516346.tif 000002
【特許請求の範囲】
【請求項１】
異質な中間物質の存在により滑りやすい走行面上を走行する際のグリップを改良する二輪車のタイヤのトレッドであって、
このトレッドは、溝（４）により互いに分割されたブロック（１、２、３）を備え、
各ブロックは、タイヤの走行時に、前記走行面と接触するための接触面（１０、２０、３０）と、前記接触面を横切り、複数のブランチを備えた幾何形状を有する接触面の輪郭を画成するエッジコーナーを形成する側面と、を有し、
各ブランチ（１１、２１、３１）は、点（１１０、２１０、３１０）で終端しており、その角度は最小で２０度と等しく、最大で９０度と等しく、
各点（１１０、２１０、３１０）は、前記走行面と直接の接触を確立するため、前記異質な中間物質を通過することができ、
各ブロック（１、２、３）の前記ブランチ（１１、２１、３１）は、対として考えると、これらの間に、それぞれの前記点よりも前記接触面の幾何中心（Ｃ１、Ｃ２、Ｃ３）に近い部分であるセットバック部分（１２、２２、３２）を画定し、
このトレッドは、各ブロック（１、２、３）が少なくとも６つのブランチを有する接触面を有し、
各ブロック（１、２、３）はそれぞれスリット（１１１、１１２、１１３、２１１、２１２、２１３、３１１、３１２、３１３）を備え、
これらスリットは、ブロックの面に形成されたセットバックの一つで一端が終端し、同時に、他端は同じ位置で終端し、これにより接触面の少なくとも二つの点を備える基本パターンを形成し、
前記同一のブロックの前記基本パターンは、これらが前記走行面を通る時に、互いに接触することにより相互作用し、
トレッドの少なくとも一部において、前記ブロック（１、２、３）は、前記赤道中央面に対して、それらの軸方向位置に関して互いに角度方向にオフセットした配向を有することを特徴とする、トレッド。
【請求項２】
前記ブロック（１）のスリット（１１１、１１２、１１３）は、全て、前記ブロックの接触面の幾何中心を横切る、請求項１に記載のトレッド。
【請求項３】
ブロックの軸方向に関するブロックの角度方向オフセットは、３０度と等しい又は３０度と実質的に等しい、請求項１又は２に記載のトレッド。
【請求項４】
各ブロック（１、２、３）は、半径が最大で１０ｍｍに等しい円（Ｒ）の内側に内接する、請求項１〜３のいずれか１項に記載のトレッド。
【請求項５】
前記円（Ｒ）の半径は、最大で８ｍｍに等しく、最小で２ｍｍに等しい、請求項４に記載のトレッド。
【請求項６】
最大で７５％の溝−ゴム比率を有する、請求項１〜５のいずれか１項に記載のトレッド。
【請求項７】
前記ブロックのスリットは、赤道面の近くに位置するブロックからトレッドの縁の一方のブロックに向かって延びる方向に向けられており、トレッドの他方の半分において、前記スリットは反対の方向に向けられている、請求項１〜６のいずれか１項に記載のトレッド。
【請求項８】
複数のブロック（５）は、赤道中央面に位置し、これらブロック（５）は、周方向に配向された少なくとも一つの溝（５９）を備える、請求項１〜７のいずれか１項に記載のトレッド。
【請求項９】
前記赤道中央面の各側のブロック（１、２、３）の幾何中心は、前記赤道面に関して対称である斜線（Ｄ、Ｄ’）上に位置する、請求項１〜８のいずれか１項に記載のトレッド。
【請求項１０】
前記ブロックの幾何中心が沿って位置する前記斜線（Ｄ、Ｄ’）の角度は、周方向に対して最小で２０度に等しく、最大で４５度に等しい、請求項１〜９のいずれか１項に記載のトレッド。
【請求項１１】
複数のブロック（２）は、同一の斜線（Ｄ）に沿って隣接するブロックのセットバック（１２）へ入り込む少なくとも一つの第１の点（２１０）を有する、請求項１〜１０のいずれか１項に記載のトレッド。
【請求項１２】
各点の角度は、８０度に等しい、請求項１〜１１のいずれか１項に記載のトレッド。
【請求項１３】
請求項１〜１２のいずれか１項に記載のトレッドを有する、自転車タイヤ。
【発明の詳細な説明】
【技術分野】
【０００１】
本発明は、地面との良好なノンスキッド（横滑りをしない）接触をタイヤに与えるために、自転車タイヤのトレッドに形成された隆起トレッドブロック又はパターンに関する。本発明は、特に、タイヤと地面との接触を改良することを目的とし、より具体的には、特に、地表面が液体で濡れた、又は氷で覆われた時に、例えば、路面に形成されたカラーラインや礫など自然物又は人工物であっても、例えば非常に滑らかな表面などの滑りやすい又は滑りやすくなる地面との接触を改良することを目的とする。
【背景技術】
【０００２】
自転車のタイヤは、自転車が運転される路面と接触領域を介して接触するためのトレッドを備えている。この接触領域において、本質的に、トレッドを形成する材料は路面と接触し、前記材料と路面との間の中間要素の圧力を排除する。中間要素の存在と関連した接触領域の減少により、コーナリングの際にサイクリストの落下が生じる。そして、事故の最も一般的な原因の一つはこのグリップの損失である。
【発明の概要】
【発明が解決しようとする課題】
【０００３】
米国特許第５３７７７３４号には、全ての地形で利用するための二輪車のタイヤについて記載しており、そのトレッドにはブランチ（枝部）を示すブロックの形態の隆起要素が設けられ、これらは枝分かれし、間にセットバック（後退）部分を形成する。本発明は、そのようなトレッドのグリップ性能を非常に改良する。
【課題を解決するための手段】
【０００４】
定義：
トレッドブロックの「溝−ゴム比率」は、ブロックにより画成された空洞（溝）の面積と、全面積（ブロックの接触面積及び空洞の面積）との間の比に等しい。低い溝−ゴム比率は、ブロックの接触面積が大きいこと及びブロックの間の空洞の面積が小さいことを示す。
【０００５】
赤道中央面は、回転軸に垂直な面であり、かつ、この軸から径方向に最も離れたタイヤの位置を通る面である。
【０００６】
ブロックは、トレッドに形成され、空洞又は溝により境界決めされた隆起要素であり、側壁と、路面と接触するための接触面とを備える。この接触面は、表面の重心又は重力中心として定義される幾何中心を有する。
【０００７】
本発明は、自転車タイヤのトレッドのためのトレッドブロックに対し、タイヤと路面、特に滑りやすくなった路面との間のグリップを改良する解決を提供することを目的とする。
【０００８】
そのためにも、本発明の対象は、走行面の表面仕上げ、又は走行面とトレッドとの間の中間異質物により、滑りやすくなりやすい走行面を走行する時に、このトレッドのグリップを改良するための自転車のためのタイヤのトレッドのためのトレッドブロックである。このトレッドブロックは、互いに独立し、溝により互いに分割されたブロックの形態のトレッドから突出するトレッド要素を有する。これらブロックは、タイヤが走行する際に、走行面と接触するための接触面と、接触面と交差して、いくつかのブランチをともなう形状を有する接触面の輪郭を画成するエッジコーナーを形成する側面とを有し、各ブランチは一点で終端し、その角度は少なくとも２０度と等しく、大きくとも９０度と等しい。対として考えると、これらの間の各ブロックのブランチは、各点よりも接触面の幾何中心に近い部分であるセットバック（後退）部分を決定する。好ましい特徴によれば、各点の角度は、８０度（±３度）に等しい。好ましくは、接触面は、少なくとも６つのブランチを備えた輪郭により画成される。
【０００９】
さらに、各ブロックは、スリット又はサイプを備え、これらスリットは、その端部の一方がブロックの面に形成されたセットバックの一つで終端し、他端が同じ位置で終端し、これにより、少なくとも二つの接触面の点を備えた基本パターンを形成する。同一のブロックの基本パターンは、走行面との接触により、互いに接触することにより相互作用する。加えて、トレッドの少なくとも一部において、ブロックは、赤道中央面に対してそれらの軸方向位置に関し、互いに角度方向にオフセットした配向を有する。
【００１０】
これにより、ブロックの点の少なくともいくつかは、赤道中央平面又はその近傍における周方向に対して０度の角度を形成する方向に向けられ、残りの点は、前記中央面からの距離が増加するとともに、増加する角度に向けられる。これにより、コーナリング時に、二輪車のライダーは回転しようとする方向に傾くため、トレッドの動きを生じるブロックは、赤道中央面に対して同じ側に位置しているブロックとなり、これらのブロックは赤道中央面から最も遠くなる。このようにして、本発明の構成によれば、動きを生じるブロックの点が接触パッチ（領域）の外側の領域に対して実質的に垂直に配向され、これは、（特に、雨天時に）存在するだろうあらゆる水の膜を通り抜ける一種のステム（軸）を形成し、又はいくらか、点を介して地面をグリップするのに特に有利である。
【００１１】
さらに、スリットの配向は、これらスリットが、赤道面に対して、スリットが形成されているブロックの位置と独立した平均角度だけ回転されたようになっている。
【００１２】
これらのスリットは、好ましくは、少なくともブロックの高さの５０％の深さを有し、この高さは、前記ブロックの側面の高さとして測定されている。
【００１３】
局部圧力点を増加させ、各スリットにさらなる水はけを提供するため、スリットは、中央部分において各ブロックを径方向（すなわち、厚さ方向）に柔軟にし、エッジコーナーの数の増加を導く。
【００１４】
好ましくは、スリットは、全て、各ブロックの接触面の幾何中心を横切る。
【００１５】
出願人らにより行われた研究は、ここで記載した形状及び角度に関して固有の性質を有するのみではなく、滑りやすい中間物質へ噛み合う位置を増加させるのに十分に小さいパターンを使用するのが適切であることを示している。新品状態の接触面が、最大でも１０ｍｍに等しく、好ましくは２〜８ｍｍの半径の円の内側に内接できる場合に、ここに記載されたパターンは特に効果的であることが示された。
【００１６】
ある実施形態では、道路とグリップを有する接触の潜在的延長を促すために、このトレッドパターンの溝−ゴム比率が最大で７５％であり、好ましくは最大６０％である。
【００１７】
ある実施形態では、２つのトレッドの半分は、赤道面に関して対称である。
【００１８】
ある実施形態において、トレッドの一方の半分では、これらのブロックのスリットは、赤道面の近くに位置するブロックからトレッドの縁の一つに向かって延びる方向に向けられており、トレッドの他の半分は、反対側に向けられている。
【００１９】
他の実施形態では、周方向（すなわち、回転軸を中心とする円の接線方向）に配向された少なくとも一つのスリットを備えた複数のブロックが赤道中央面に位置するようになされている。この選択的形態は、タイヤの操作性能がこれにより改良される、すなわち、特に、滑りやすくなった走行面においてタイヤが直線経路を良好にたどることがより容易になる。
【００２０】
好適な実施形態では、赤道中央面の各側のブロックの幾何中心は、前記中央面に関して対称である斜線に位置している。斜線に沿って位置するとは、ブロックの幾何中心が前記斜線上に位置することである。
【００２１】
好ましくは、ブロックの幾何中心が沿うように位置する斜線の角度は、周方向に対して最小で２０度と等しく、最大で４５度に等しい。より好ましくは、この角度は、周方向に対して３０度に等しい。これらの線の角度は、トレッドの表面を横切る仮想平面により、赤道中央面に対して形成される角度に等しく、この仮想平面はブロックの幾何中心を通る。
【００２２】
本発明の有利な選択的形態によれば、ブロックは互いに、一つのブロックの少なくとも一つの点が、斜線に沿って隣接するブロックのセットバックに入り込むように配置されている。二つのブロックがこの斜線上又は実質的に斜線上に幾何中心を有し、二つのブロックが、これら二つのブロックの間に、同一の空洞又は同一の溝を画成する場合に、ブロックが斜線に沿って他のブロックと隣接すると言う。
【００２３】
あるブロックの点が、隣接するブロックの接触面が内接する円の内側の少なくとも一部に位置する場合に、この点が隣接するブロックのセットバックに入り込むという。この構成は、本明細書で記載される選択的形態のいずれに対しても組み合わされて利益を与える。
【００２４】
他の有利な選択的形態では、トレッドが中間物質を通過した後、より容易に走行面と接触するようになるよう、接触面のエッジコーナーにおける接触圧を調整するため、あるブロックの側壁はこのブロックの接触面に対して適切な傾斜を有するようになっている。これらの側壁は、接触面に対して垂直でも、垂直でなくてもよい。
【００２５】
ブロックの各点は、荷重で徐々に圧壊されることにより、雨天の走行面に存在する水膜を突破する力が、点からブロックの中央に向かって広がるのを容易にする。さらに、各エッジコーナーが、ブロックが地面に接触する瞬間に、地表面と厳密には平行ではないため、荷重の集中が噛み合う点で形成され、これにより、水膜を通過するのがより容易になる。これにより、ブロックの点が、地面のでこぼこを形成する地面の凹凸又は空洞に密着するため、結果として確立される乾燥した接触により、グリップの大きな増大を生む。タイヤが、例えば、粉だらけの性質の中間固体を有する走行面を走行する場合に、これと同様のグリップ促進メカニズムが繰り返される。
【００２６】
本発明は、また、二輪車のタイヤ、又は、ここで記載した選択的形態の一つによるトレッドを使用したチューブタイヤにさえ関連する。
【００２７】
本発明の他の特徴及び利点は、添付の図面を参照したここでの記載で明らかになり、図面には、本発明の構成要素のいくつかの実施形態が示される。
【図面の簡単な説明】
【００２８】
【図１】本発明によるトレッドの第１の選択的形態の平面図である。
【図２】本発明によるトレッドの第２の選択的形態の平面図である。
【図３】本発明によるトレッドの第３の選択的形態の平面図である。
【発明を実施するための形態】
【００２９】
図１乃至３を参照して記載された全ての選択的形態は６つのブランチを備える。もちろん、これらの選択的形態は、当業者により、６つより多くのブランチを備えたブロックとして実施できる。
【００３０】
図１は、本発明によるトレッドの部分平面図である。この第１の選択的形態によれば、二輪自転車のためのトレッドは、赤道中央面（図面で線ＸＸ’で示される）の両側に、正規６ブランチスターの形状のブロック１、２、３を備え、これらのブロックは、複数の溝４を画成する。各ブロック１、２、３は、それぞれ、トレッドのトレッド面を形成する接触面１０、２０、３０を有し、このトレッド面は、このトレッドが設けられたタイヤが走行する走行面と接触するためのものである。さらに、各ブロックはエッジコーナーで接触面と交差する側面を有し、この例では側面は、接触面と直交する。同一のブロックのエッジコーナーは、６ブランチスター形状の接触面を画成する。ブロック１は、他のブロック２、３よりも、図１で線ＸＸ’により記載される赤道中央面に軸方向に近接する。ブロック２は、軸方向にブロック１とブロック３との間に位置し、後者は軸方向に最も外側に近い。軸方向は、方向ＸＸ’に直交する方向であり、タイヤの回転軸に平行な方向である。
【００３１】
ブロック１、２、３に対して、これらの各ブランチ１１、２１、３１は、それぞれ、幾何的星型形状の中心Ｃ１、Ｃ２、Ｃ３から延び、点１１０、２１０、３１０で終端している。各点１１０、２１０、３１０は、本実施例では、６０度と等しい角度を形成している。同一のブロック１、２、３の二点の間には、角度が１２０度に等しい、セットバック１２、２２、３２が存在する。
【００３２】
各ブロック１、２、３は、点の端部を通過する半径が１０ｍｍよりも小さい円（点線で示す円Ｒ）の内側に内接する。もちろん、各ブロック１、２、３の寸法は、必要に応じて軸方向位置に応じて変更でき、依然として本発明の限定内に保たれる。
【００３３】
さらに、各ブロック１は、幅が狭い３つのスリット１１１、１１２、１１３を備え、これらは全て、それらの端部の一つにおいて、ブロック１の接触面の幾何中心を横切り、セットバックにおいて他端が終端し、これにより、対として考えた場合に、それらの間に１２０度の角度が形成されている。ここで幅が狭いとは、これらスリットが、そのようなトレッドが設けられたタイヤが走行する場合に、各ブロックが切れ目のない接触面を有するように、少なくとも一部が閉鎖する性能を有することを意味する。同じことがスリット２１１、２１２、２１３の設けられた各ブロック２及びスリット３１１、３１２、３１３が設けられた各ブロック３に対しても成立する。これらスリットは、ブロックの高さの５０％よりも大きな付加さを有し、この高さは、前記ブロックの側面の高さとして測定される。
【００３４】
これらスリットは、前記ブロックの二つの点を含む基本パターンを形成するように、各ブロックのセットバック内で終端している。例えば、ブロック１は、三つの基本パターン１２１、１２２、１２３に分割される。各基本パターンは、スリットにより各基本パターンに形成された第３の点を含む。同一のブロックの基本パターンは、走行面を通過する際に、スリットを閉鎖することで、互いに接触することにより相互作用する。
【００３５】
さらに、ブロック１、２、３及びそれらに設けられたスリットは、ブロックの軸方向位置とは独立した平均角度で向けられている。ここで例示されたブロック１は周方向に配向された二点を有し、ブロック１から軸方向にオフセットされたブロック２は、方向ＸＸ’（タイヤの周方向）に対して３０度の角度を形成するように配向された二点を備える。同様に、ブロック３は、方向ＸＸ’に対して６０度の角度を形成するように、配向された２点を有する。これは、あたかも、同一のブロックパターンは、前記ブロックの軸方向位置と独立した配向を有するかのようである。
【００３６】
図１に示された例では、ブロックは、幾何中心が絶対値で４５度に等しい角度Ａを形成する線Ｄ、Ｄ’と整列するように、トレッドの各側に配置されている。赤道中央面の各側におけるブロックの配置は、ブロックの幾何中心が位置する線の角度に関して、対称である。しかしながら、トレッドの一方の側のブロックと、トレッドの他方の側のブロックとの間で周方向のオフセットが存在する。
【００３７】
本発明は、各６ブランチブロック内の３つのスリットの存在に限定されているが、各ブロックのセットバックの数に達するまで、この数を増加させることができる。しかしながら、各ブロックの剛性を大きく損なうことがないように、ブロック当たりのこのスリットの数を限定することは重要である。接触領域にある場合におけるこれらの壁面の間の相対移動を減らすため、対向する壁面が相互に影響する形状を有するスリットを作成することができる。
【００３８】
図２は、図１に示した第１の選択的形態のブロック１、２、３を再度用いたトレッドの部分平面図を示す。第一の選択的形態との比較による明らかな違いは、より低い溝−ゴム比率である。特に、複数のブロックは、前記ブロックの幾何中心が整列する斜線に隣接したブロックのセットバックに入り込む少なくとも一つの点を有する。
【００３９】
これにより、ブロックの密度を増加させ、このトレッドは、石のように硬い本体を保持する点に関し、より効果的である。ここで、セットバック内に入り込むとは、ブロックの幾何中心から最も離れたブロックの点の部分が、すぐ隣のブロックの点に外接する円の内側に位置することを意味する。
【００４０】
記載する例では、図１で使用されていたのと同じ参照を使用しており、斜線Ｄに沿って、ブロック２は、ブロック１のセットバック１２に入り込む点２１０、及びブロック３のセットバック３２に入り込む他の点２１０’を備える。
【００４１】
さらに、赤道中央面ＸＸ’に関してトレッドの一方の側のブロック１は、同じ赤道面の他方の側に位置するブロック１’のセットバック１２’に入り込む点１１０を備える。
【００４２】
図３は、本発明による二輪車のタイヤに設けられるトレッドの第３の選択的形態の部分図であり、このタイプは、寸法が４２−６２２である。再び、前出の図で使用されたのと同じ参照は、ここでも、同一の構造要素を示す。
【００４３】
このトレッドは、６つに枝分かれした星の形状の接触面を有する複数のブロック１、２、３を備え、この接触面は、新品状態で半径８．３ｍｍの円の内側に収容される。点の角度は６０度であり、セットバックの角度は１２０度である。
【００４４】
ブロックの高さは３〜５ｍｍである。各ブロックは、幅が０．５ｍｍに等しく、付加さが少なくとも３ｍｍの３つのスリットを備え、これらスリットはすべて接触面の幾何中心を横切る。
【００４５】
通常の使用状況において、このタイヤは、接触区間長さが６０〜８０ｍｍであり、接触区間幅が２５〜３５ｍｍである。
【００４６】
さらに、各ブロックの側壁は、前記ブロックの接触面の垂直方向に対して１０度の角度間隔を有する。これにより、各ブロックの接触面の表面積は、トレッドの摩耗に従って増加する。
【００４７】
さらに、複数のブロックは、斜線に沿って隣接するブロックのセットバックに入り込む少なくとも一つの点を有する。
【００４８】
最終的に、この第３の選択的形態は、赤道中央面の線ＸＸ’に沿って整列した追加のブロック５の存在を示し、これは、追加のブロック５の幾何中心がこのラインＸＸ’上に位置することを意味する。これらのブロック５は、実質的に、赤道中央面に軸方向に最も近接したブロック１と同じ形状を有し、方向ＸＸ’と整列した二つの点を有する。さらに、これらのブロック５は、方向ＸＸ’を意味する周方向に配向された溝５０を備える。周方向のエッジコーナー５１、５２を生じさせるこれらの溝の存在により、タイヤの直線走行時の直線経路を維持する性能が改良される。
【００４９】
もちろん、本発明は、記載され、描写された例に限定されず、請求の範囲に規定された範囲からはなれることなく、様々な修正が可能である。特に、各ブロックの点の数は、６以上としてもよく、点の寸法は、所望の性能に調整するために、全く同一のブロックに対して、異なってもよい。
【図１】
2013516346.tif 000003
【図２】
2013516346.tif 000004
【図３】
2013516346.tif 000005
【国際調査報告】
2013516346.tif 000006
2013516346.tif 000007
2013516346.tif 000008
2013516346.tif 000009